(57)【要約】      （修正有）【課題】季節や使用地域に対応して自動で室内機の内部の清掃を行うことが可能な空気調和機を提供する。【解決手段】空気調和機は室内機に送風機と、室内熱交換器と、室内空気に含まれる塵埃を捕集するフィルターと、フィルターの清掃装置と、イオン発生装置と、電波時計と、各種の設定や動作指令を指示することが可能なリモコンと、を備え、自動でフィルターに付着した塵埃を除去する自動フィルター掃除機能と自動でイオンを室内機の内部に充満させて脱臭、除菌を行う自動内部清浄機能とよる自動清掃運転が可能であって、電波時計から得られる月日情報に加えてリモコンを用いてユーザーが設定した使用地域情報に基づき、自動フィルター掃除機能及び自動内部清浄機能による自動清掃運転を実行する。【選択図】図６
2014035089.tif 000002
【特許請求の範囲】
【請求項１】
室内機に、室内空気を循環させる送風機と、前記送風機が循環させる空気との間で熱交換を行う室内熱交換器と、前記送風機が循環させる空気に含まれる塵埃を捕集するフィルターと、前記フィルターに付着した塵埃を除去する清掃装置と、前記送風機が循環させる空気にイオンを放出するイオン発生装置と、各種の設定及び動作指令の指示や運転情報の表示が可能な操作器と、を備え、自動で前記フィルターに付着した塵埃を除去する自動フィルター掃除機能と自動で前記イオンを前記室内機の筐体内に充満させて脱臭、除菌を行う自動内部清浄機能との少なくとも一方を有する空気調和機において、
前記筐体または前記操作器に設けた電波時計を備えるとともに、
前記電波時計から得られる月日情報に基づき、または前記月日情報に加えて前記操作器を用いてユーザーが設定した使用地域情報に基づき、前記自動フィルター掃除機能及び／または前記自動内部清浄機能による自動清掃運転を実行することを特徴とする空気調和機。
【請求項２】
前記電波時計から得られる月日情報に基づき、または前記月日情報に加えて前記操作器を用いてユーザーが設定した使用地域情報に基づき、空気調和機の不使用期間が予め設定した所定期間を経過したとき、前記自動フィルター掃除機能及び／または前記自動内部清浄機能による自動清掃運転を実行することを特徴とする請求項１に記載の空気調和機。
【請求項３】
前記自動フィルター掃除機能及び前記自動内部清浄機能による自動清掃運転の実行条件や実行方法を季節や期間、使用地域に対応付けて配列したテーブルを予め記憶する記憶部を備えることを特徴とする請求項１または請求項２に記載の空気調和機。
【発明の詳細な説明】
【技術分野】
【０００１】
本発明は空気調和機に関する。
【背景技術】
【０００２】
従来、空気調和機には通常の冷房運転や暖房運転などと異なる特別な機能、例えばフィルター掃除機能による自動清掃運転を実行するものがある。このような空気調和機が特許文献１及び２に開示されている。
【０００３】
特許文献１に記載された空気調和機は運転積算時間が所定期間を経過した後、エアフィルターに付着した塵埃を除去して清掃する自動清掃運転を実行している。特許文献２に記載された空気調和機は人体検知センサを備え、通常運転中、第１所定期間に人の不在を検知すると省電力運転を行い、第１所定期間より長い第２所定期間に人の不在を検知するとフィルター清掃等の自動清掃運転を実行している。このようにして、フィルターへの塵埃の体積を防止して十分な風量を確保し、空調能力の安定化を図っている。
【先行技術文献】
【特許文献】
【０００４】
【特許文献１】特開２００７−２５５８４１号公報
【特許文献２】特開２００８−２２４１３２号公報
【発明の概要】
【発明が解決しようとする課題】
【０００５】
空気調和機の室内機の内部の清掃は空気調和機の使用頻度が比較的高い時期や空気調和機の使用地域の気候に合わせて重点的に行うことが効果的である。しかしながら、このことについて上記従来の空気調和機では配慮がなされていない。これにより、空気調和機の使用頻度が比較的低い時期が過ぎ、次に空気調和機による空気調和運転を開始するときに塵埃の吹き出しや不快な臭いが発生する虞があることが問題となっていた。
【０００６】
本発明は、上記の点に鑑みなされたものであり、季節や使用地域に対応して自動で室内機の内部の清掃を行うことが可能な空気調和機を提供することを目的とする。
【課題を解決するための手段】
【０００７】
上記の課題を解決するため、本発明は、室内機に、室内空気を循環させる送風機と、前記送風機が循環させる空気との間で熱交換を行う室内熱交換器と、前記送風機が循環させる空気に含まれる塵埃を捕集するフィルターと、前記フィルターに付着した塵埃を除去する清掃装置と、前記送風機が循環させる空気にイオンを放出するイオン発生装置と、各種の設定及び動作指令の指示や運転情報の表示が可能な操作器と、を備え、自動で前記フィルターに付着した塵埃を除去する自動フィルター掃除機能と自動で前記イオンを前記室内機の筐体内に充満させて脱臭、除菌を行う自動内部清浄機能との少なくとも一方を有する空気調和機において、前記筐体または前記操作器に設けた電波時計を備えるとともに、前記電波時計から得られる月日情報に基づき、または前記月日情報に加えて前記操作器を用いてユーザーが設定した使用地域情報に基づき、前記自動フィルター掃除機能及び／または前記自動内部清浄機能による自動清掃運転を実行することを特徴としている。
【０００８】
この構成によれば、空気調和機は電波時計から月日情報を得る。そして、空気調和機は季節に対応して自動フィルター掃除機能や自動内部清浄機能による自動清掃運転を実行する。さらに、空気調和機は月日情報に加えて使用地域情報も得る。そして、空気調和機はその使用地域における季節に対応して自動フィルター掃除機能や自動内部清浄機能による自動清掃運転を実行する。
【０００９】
また、上記構成の空気調和機において、前記電波時計から得られる月日情報に基づき、または前記月日情報に加えて前記操作器を用いてユーザーが設定した使用地域情報に基づき、空気調和機の不使用期間が予め設定した所定期間を経過したとき、前記自動フィルター掃除機能及び／または前記自動内部清浄機能による自動清掃運転を実行することを特徴としている。
【００１０】
この構成によれば、季節を考慮したうえで空気調和機が長期間使用されていないと判断されたとき、または季節及び使用地域を考慮したうえで空気調和機が長期間使用されていないと判断されたときに自動フィルター掃除機能や自動内部清浄機能による自動清掃運転が実行される。
【００１１】
なお、ここで述べた「所定期間」は自動清掃運転を実行するタイミングに関する予め設定した任意の期間であり、例えば１０日間、１４日間などといった期間として構わない。後述する実施形態ではこの「所定時間」を「１４日」と設定しているが、このような時間に限定されるわけではない。この「所定時間」は操作器等を用いて任意の期間に設定できるようにしても良い。
【００１２】
また、上記構成の空気調和機において、前記自動フィルター掃除機能及び前記自動内部清浄機能による自動清掃運転の実行条件や実行方法を季節や期間、使用地域に対応付けて配列したテーブルを予め記憶する記憶部を備えることを特徴としている。
【００１３】
この構成によれば、空気調和機は予め記憶したテーブルに基づいてその使用地域における季節や期間に対応して自動フィルター掃除機能や自動内部清浄機能による自動清掃運転を実行する。
【発明の効果】
【００１４】
本発明の構成によれば、季節や使用地域に対応して自動で室内機の内部の清掃を行うことが可能な空気調和機を提供することができる。
【図面の簡単な説明】
【００１５】
【図１】本発明の実施形態の空気調和機の室内機の外観斜視図である。
【図２】本発明の実施形態の空気調和機の室内機の概略断面図である。
【図３】本発明の実施形態の空気調和機の室内機の構成を示すブロック図である。
【図４】本発明の実施形態の空気調和機のリモコンの正面図である。
【図５】本発明の実施形態の空気調和機の室内機の内部の自動清掃運転の実行条件や実行方法を季節や期間、使用地域に対応付けて配列した表である。
【図６】本発明の実施形態の空気調和機の室内機の内部の自動清掃に係る運転フローを示すフローチャートである。
【発明を実施するための形態】
【００１６】
以下、本発明の実施形態を図１〜図６に基づき説明する。
【００１７】
最初に、本発明の実施形態の空気調和機について、図１〜図５を用いてその構造及び動作を説明する。図１は空気調和機の室内機の外観斜視図、図２は室内機の概略断面図、図３は室内機の構成を示すブロック図、図４は空気調和機のリモコンの正面図である。なお、図２における室内機に対する左方を室内と対向する側であって室内機の前方と称する。また、室内機に関する横方向は図２の紙面奥行き方向とする。
【００１８】
図１に示す室内機１は図示しない室外機とともにセパレート型の空気調和機Ａとして構成されている。室内機１は水平方向に延びる横長の形態をなし、合成樹脂製の筐体１０の内部に図２に示す送風機１１及び室内熱交換器１２を収容している。
【００１９】
送風機１１は筐体１０の形状に沿って水平方向に横長に延びるクロスフローファン（図示せず）と、これを回転させる電動機（図示せず）とを備える。
【００２０】
室内熱交換器１２はクロスフローファン同様に水平方向に延び、３個が組み合わされて構成されている。３個の室内熱交換器１２は送風機１１のクロスフローファンの上方や前方を覆うように配置されている。室内熱交換器１２には室外機に収容された図示しない圧縮機から冷媒が送り込まれる。
【００２１】
送風機１１は室内空気を循環させる。室内熱交換器１２は送風機１１が循環させる空気との間で熱交換を行う。
【００２２】
図２に示すように、筐体１０の天面の部分に吸込口１３が形成されている。吸込口１３は多数のスリットで構成されている。筐体１０の前面下部には正面から見て横長の矩形をなす吹出口１４が形成されている。送風機１１と吹出口１４との間には送風機１１から送り出された空気が通る通風路１５が形成されている。送風機１１を駆動すると、吸込口１３から筐体１０内に吸い込まれた室内空気が室内熱交換器１２を通過し、通風路１５を通って吹出口１４から室内に向かって吹き出される。
【００２３】
吸込口１３のすぐ内側にはフィルター１６が配置されている。フィルター１６は室内熱交換器１２の上方を覆い、吸込口１３を通じて筐体１０の内部に吸い込まれる室内空気に含まれる塵埃を捕集する。フィルター１６は横方向両側端部に設けられた不図示のガイドレール上に載置され、不図示のフィルター駆動モータによってガイドレールに沿って上下に移動可能になっている。図２にはその移動経路を二点鎖線で描画している。
【００２４】
筐体１０の内部の前面側上部及び側面部（図１における左端部）にはフィルター１６の清掃装置４０が配置されている。清掃装置４０は吸気ダクト４１、回転ブラシ４２、ファンユニット４３及び排気ダクト４４を備えている。
【００２５】
吸気ダクト４１は断面略円形をなし、室内機１の前面側上部であってフィルター１６の前方に配置されて横方向に延びている。吸気ダクト４１にはフィルター１６に対向する不図示の吸込口が形成され、内部に横方向に延びる回転ブラシ４２を収容している。
【００２６】
回転ブラシ４２は筐体１０のファンユニット４３を設けた側面部と対向する側面部（図１における右端部）に設けた不図示のブラシモータに連結されている。回転ブラシ４２はブラシモータを駆動することにより回転し、フィルター１６に捕集されて付着した塵埃を叩き出す。
【００２７】
ファンユニット４３は筐体１０の内部の側面部に設けられ、ハウジング４３ａ内に収容した不図示のファン及びファンモータを備えている。ハウジング４３ａの、ファンの吸気側に配した不図示の吸気口は吸気ダクト４１に接続されて内部が連通している。ハウジング４３ａの、ファンの排気側に配した不図示の排気口は排気ダクト４４に接続されて内部が連通している。ファンはファンモータを駆動することにより回転し、吸気ダクト４１から排気ダクト４４に向かって流通する空気流を発生させる。
【００２８】
排気ダクト４４は断面略円形をなし、ファンユニット４３のハウジング４３ａの排気口から屋外に向かって延びている。
【００２９】
吹出口１４にはルーバー１８が配置されている。ルーバー１８は室内機１の運転停止時に吹出口１４を塞いで閉鎖する外装部材を兼ねており、吹出口１４同様に正面から見て横長の矩形をなしている。ルーバー１８は上辺部に設けた水平方向に延びる軸部１８ａが回転中心となり下辺側を揺動可能にして筐体１０に支持されている。室内機１の運転時、ルーバー１８は吹出口１４を開放して送風機１１が送り出す空気の吹き出し方向を変更可能である。ルーバー１８は電動式であって、後述するリモコン３０によって向きを調整することもできる。
【００３０】
通風路１５の吹出口１４のすぐ内側にはイオン発生装置１９が配置されている。イオン発生装置１９はイオンを放出するための放電に用いる電極やその他電子部品がハウジング内に収容されてパッケージ化されている。イオン発生装置１９は通風路１５に隣接させて形成された図示しない収納部に対して着脱可能にして収納される。イオン発生装置１９は通風路１５に臨む複数の電極を有し、通風路１５を流通する空気に対して電極で放電により発生させたイオンを含ませるように放出する。
【００３１】
イオン発生装置１９の正放電電極、負放電電極には交流波形またはインパルス波形から成る電圧が印加される。正放電電極には正電圧が印加され、コロナ放電による水素イオンが空気中の水分と結合して主としてＨ+（Ｈ2Ｏ）ｍから成る正イオンを発生する。負放電電極には負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００３２】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、イオン発生装置１９は通風路１５を流通する空気に対して正放電電極及び負放電電極で放電により発生させた正イオン及び負イオンを含ませるように放出することにより、例えば室内の脱臭や除菌を行うことができる。
【００３３】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３４】
なお、本実施形態ではイオン発生装置１９によって正イオン及び負イオンを発生しているが、マイナスイオンのみを発生しても良い。
【００３５】
また、本発明において、イオンには帯電微粒子水も含むものとする。このとき、イオン発生装置１９は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００３６】
室内機１は室外機を含む空気調和機Ａ全体の動作制御のために、筐体１０内に図３に示す制御部２０を収容している。制御部２０は図示しない演算部や記憶部２１等を備え、記憶部２１等に記憶、入力されたプログラム、データに基づき送風機１１やルーバー１８、イオン発生装置１９、室外機に収容された圧縮機などの構成要素を制御して一連の空調運転を実現する。
【００３７】
また、室内機１は電波時計２２を備えている。電波時計２２は月日及び時刻情報を含む標準電波を受信し、自動で時刻を修正する機能を有する時計である。空気調和機Ａは電波時計２２により正確な月日及び時刻を知ることができ、運転時間などの各種時間を把握することができる。
【００３８】
また、空気調和機Ａは、図４に示す遠隔操作のための操作器であるリモコン３０を備えている。リモコン３０は赤外線等を利用して室内機１の制御部２０に対して運転モード等の各種の設定や動作指令などを送信して指示したり、運転情報を表示したりすることが可能である。
【００３９】
リモコン３０は縦長の筐体３１を有し、図４における上側に表示部３２を備え、下側に操作部３３を備えている。表示部３２には液晶パネルなどで構成される表示パネルが設けられている。操作部３３は蓋部３４を備える。蓋部３４は、図４における下端に設けられたヒンジ部３５を介して開閉可能に筐体３１に支持されている。操作部３３はその表面や蓋部３４によって覆われる内側部分に、各種操作ボタンやインジケーターランプが分散されて配置されている。
【００４０】
上記構成の空気調和機Ａにおいて冷房運転や暖房運転などの空気調和運転が指示されると、吸込口１３を通じて筐体１０の内部に吸い込まれる室内空気はフィルター１６により塵埃が捕集される。塵埃が除去された空気は室内熱交換器１２と熱交換を行い、通風路１５を通って吹出口１４から室内に向かって吹き出される。
【００４１】
また、空気調和機Ａは自動でフィルター１６に付着した塵埃を除去する自動フィルター掃除機能と、自動でイオンを室内機１の筐体１０内に充満させて脱臭、除菌を行う自動内部清浄機能との清掃運転を実行することができる。
【００４２】
自動フィルター掃除機能による清掃運転が指示されると、清掃装置４０のフィルター駆動モータ、ブラシモータ及びファンモータが駆動される。フィルター駆動モータの駆動によりフィルター１６がガイドレール上を上下に移動する。ブラシモータの駆動により回転ブラシ４２が回転し、上下移動するフィルター１６に付着した塵埃が回転ブラシ４２により叩き出される。ファンモータの駆動によりファンが回転し、吸気ダクト４１に気流が発生する。
【００４３】
フィルター１６に付着した塵埃は気流とともに吸気ダクト４１の吸込口から吸い込まれてファンユニット４３に向かって流通する。吸気ダクト４１を流通する塵埃は気流とともにファンユニット４３のハウジング４３ａ内に吸気口から流入し、さらに排気口から流出する。ファンユニット４３から流出した塵埃を含む気流は排気ダクト４４を流通して屋外に排出される。
【００４４】
なお、フィルター１６は室内機１の前面に設けられた開閉パネル１７を開放することによりユーザー自身が取り出して掃除することもできる。
【００４５】
自動内部清浄機能による清掃運転が指示されると、ルーバー１８が駆動されて吹出口１４が閉鎖される。続いて、イオン発生装置１９が作動されて通風路１５の空気にイオンが放出される。吹出口１４が閉鎖されているので、放出されたイオンは室内機１の筐体１０内に充満する。これにより、室内機１の内部の脱臭や除菌を行うことができる。
【００４６】
清掃運転はリモコン３０等を用いてユーザー自身が発する指示を受けて実行するようにしても良いし、以下で説明する自動清掃運転を実行するようにしても良い。
【００４７】
空気調和機Ａには、空調運転を実行したか否かにかかわらず、自動フィルター掃除機能と自動内部清浄機能との自動清掃運転を例えば１４日おきに実行する所謂「通常の自動清掃運転」が予め設定されている。なお、この１４日という間隔はリモコン３０等を用いて任意の期間に設定することができる。
【００４８】
一方、この空気調和機Ａは電波時計２２から得られる月日情報に基づき、自動フィルター掃除機能及び自動内部清浄機能による自動清掃運転を実行することができる。
【００４９】
さらに、空気調和機Ａはリモコン３０を用いてユーザーによる空気調和機Ａの使用地域の設定を受け付ける。そして、空気調和機Ａは電波時計２２から得られる月日情報に加えてユーザーが設定した使用地域情報に基づき、自動フィルター掃除機能及び自動内部清浄機能による自動清掃運転を実行することができる。
【００５０】
これらの室内機１の内部の清掃に係る自動清掃運転に関して、空気調和機Ａは例えば記憶部２１に図５に示すようなテーブルを予め記憶している。図５は室内機１の内部の自動清掃運転の実行条件や実行方法を季節や期間、使用地域に対応付けて配列した表である。季節及び期間については例えば「春」、「菜種梅雨」、「初夏」、「梅雨」、「真夏」、「初秋」、「秋の長雨」、「晩秋」及び「冬」が予め設定されている。使用地域については例えば「北海道」、「東北」、「北関東」、「南関東」、「甲信」、「北陸新潟」、「東海」、「近畿」、「山陰」、「山陽四国」、「九州」及び「沖縄」が予め設定されている。
【００５１】
図５の（１）は花粉除去重視の自動清掃運転を表している。花粉除去重視の自動清掃運転では通常の自動清掃運転と比較してイオンによる自動内部清浄の運転頻度が高く設定され、さらに清掃時間が長く設定されている。図５によれば、この自動清掃運転は特定の地域、例えば北は関東から南は九州までの地域において春に実行される。
【００５２】
図５の（２）は乾燥重視、カビ発生防止の自動清掃運転を表している。乾燥重視、カビ発生防止の自動清掃運転では自動フィルター掃除機能、自動内部清浄機能ともに通常の自動清掃運転と比較して運転頻度が高く設定され、さらに清掃時間が長く設定されている。図５によれば、この自動清掃運転は特定の地域、例えば関東や東海、近畿、九州などの地域において菜種梅雨、秋の長雨の季節に実行される。また、例えば東北や甲信、北陸、沖縄などの地域において梅雨の季節に実行される。また、例えば東北、北陸、新潟及び山陰では冬にも実行される。
【００５３】
図５の（３）は乾燥重視、カビ発生防止の作用をさらに強めた自動清掃運転を表している。この自動清掃運転では自動フィルター掃除機能、自動内部清浄機能ともに上記（２）の自動清掃運転よりさらに運転頻度が高く設定され、清掃時間が長く設定されている。図５によれば、この自動清掃運転は特定の地域、例えば関東や東海、近畿、九州などの地域において梅雨の季節に実行される。また、例えば沖縄では初夏に実行される。
【００５４】
図５の（４）は省エネモードの自動清掃運転を表している。省エネモードの自動清掃運転では自動清掃を空調運転停止時に毎回実行せず、５日おきに実行する。図５によれば、この自動清掃運転は特定の地域、例えば北は関東から南は沖縄までの地域において真夏に実行される。また、例えば北海道や関東、東海、近畿、九州などの地域において冬に実行される。
【００５５】
空気調和機Ａは図５の（１）、（２）、（３）の自動清掃運転を、月日情報及び使用地域情報に基づき、空気調和機Ａの不使用期間が予め設定した所定期間、例えば１４日を経過したときに実行する。また、空気調和機Ａは図５の（４）の自動清掃運転を、月日情報及び使用地域情報に基づき、例えば５日おきに実行する。なお、これら１４日、５日という期間はリモコン３０等を用いて任意の期間に設定することができる。
【００５６】
次に、空気調和機Ａの室内機１の自動内部清掃に係る運転フローについて、図６に示すフローに沿って説明する。図６は空気調和機Ａの室内機１の内部の自動清掃に係る運転フローを示すフローチャートである。
【００５７】
空気調和機Ａが運転を停止しているとき（図６のスタート）、所定のタイミングで制御部２０は運転を停止した後、例えば１４日が経過したか否かを判定する（図６のステップ＃１０１）。空気調和機Ａが運転停止後、１４日経過した場合（ステップ＃１０１のＹｅｓ）、制御部２０は電波時計２２から得た本日の月日情報と、ユーザーが予め設定した使用地域情報とに基づき、予め記憶したテーブル（図５）の（１）、（２）、（３）のいずれかに一致するか否かを判定する（ステップ＃１０２）。
【００５８】
図５の（１）、（２）、（３）のいずれかに一致する場合（ステップ＃１０２のＹｅｓ）、制御部２０は月日及び使用地域に対応して、（１）花粉除去重視の自動清掃運転、または（２）乾燥重視、カビ発生防止の自動清掃運転、または（３）乾燥重視、カビ発生防止の作用をさらに強めた自動清掃運転をそれぞれ実行する（ステップ＃１０３）。自動清掃運転を終了すると、再びステップ＃１０１に戻る。
【００５９】
また、ステップ＃１０２において、図５の（１）、（２）、（３）のいずれにも一致しない場合（ステップ＃１０２のＮｏ）、制御部２０は通常の自動清掃運転を実行する（ステップ＃１０４）。自動清掃運転を終了すると、再びステップ＃１０１に戻る。
【００６０】
一方、ステップ＃１０１において、空気調和機Ａが運転停止後、１４日経過していない場合（ステップ＃１０１のＮｏ）、制御部２０は電波時計２２から得た本日の月日情報と、ユーザーが予め設定した使用地域情報とに基づき、予め記憶したテーブル（図５）の（４）に一致するか否かを判定する（ステップ＃１０５）。
【００６１】
図５の（４）に一致する場合（ステップ＃１０５のＹｅｓ）、制御部２０は（４）花粉除去重視の自動清掃運転を実行する（ステップ＃１０６）。自動清掃運転を終了すると、再びステップ＃１０１に戻る。図５の（４）に一致しない場合（ステップ＃１０５のＮｏ）、何もせず再びステップ＃１０１に戻る。
【００６２】
上記のように、空気調和機Ａは電波時計２２から得られる月日情報に加えてリモコン３０を用いてユーザーが設定した使用地域情報に基づき、自動フィルター掃除機能及び自動内部清浄機能による自動清掃運転を実行する。これにより、空気調和機Ａはその使用地域における季節に対応して自動フィルター掃除機能や自動内部清浄機能による自動清掃運転を実行することができる。
【００６３】
また、空気調和機Ａは月日情報及び使用地域情報に基づき、空気調和機Ａの不使用期間が予め設定した所定期間（例えば１４日）を経過したとき、自動フィルター掃除機能及び自動内部清浄機能による自動清掃運転を実行する。これにより、季節及び使用地域を考慮したうえで空気調和機Ａが長期間使用されていないと判断されたときに自動フィルター掃除機能や自動内部清浄機能による自動清掃運転を実行することができる。
【００６４】
そして、空気調和機Ａは自動フィルター掃除機能及び自動内部清浄機能による自動清掃運転の実行条件や実行方法を季節や期間、使用地域に対応付けて配列した図５に示すテーブルを予め記憶する記憶部２１を備える。これにより、空気調和機Ａは予め記憶した図５に示すテーブルに基づいてその使用地域における季節や期間に対応して自動フィルター掃除機能や自動内部清浄機能による自動清掃運転を実行することができる。
【００６５】
このようにして、本発明の上記実施形態の構成によれば、季節や使用地域に対応して自動で室内機の内部の清掃を行うことが可能な空気調和機Ａを提供することができる。その結果、室内機１の内部に塵埃が長期間にわたって付着した状態であったり、不快な臭いが充満している状態であったりすることを防止して、室内機１の内部を清潔に保つことができる。したがって、次に空気調和機Ａによる空気調和運転を開始するときに塵埃の吹き出しや不快な臭いが発生することを防止して、好適な空気調和を行うことが可能である。
【００６６】
以上、本発明の実施形態につき説明したが、本発明の範囲はこれに限定されるものではなく、発明の主旨を逸脱しない範囲で種々の変更を加えて実施することができる。
【００６７】
例えば、本実施形態において電波時計２２は室内機１の筐体１０内に設けることとしたが、リモコン３０に設けても良い。また、リモコン３０として説明した操作器は室内機１自体に設けられているものとしても良い。
【産業上の利用可能性】
【００６８】
本発明は、空気調和機において利用可能である。
【符号の説明】
【００６９】
Ａ    空気調和機
１    室内機
１０    筐体
１１    送風機
１２    室内熱交換器
１３    吸込口
１４    吹出口
１５    通風路
１６    フィルター
１８    ルーバー
１９    イオン発生装置
２０    制御部
２１    記憶部
２２    電波時計
３０    リモコン（操作器）
４０    清掃装置
【図１】
2014035089.tif 000003
【図２】
2014035089.tif 000004
【図３】
2014035089.tif 000005
【図４】
2014035089.tif 000006
【図５】
2014035089.tif 000007
【図６】
2014035089.tif 000008